(57)【特許請求の範囲】
【請求項１】
被冷却物を収納する収納室と、この収納室に冷気を循環供給するべく冷却器と冷却ファンとを内部に設けた断熱箱体製の冷却庫本体に隣接して機械室が設けられた冷却庫において、
前記機械室は内部に水平な仕切板が張られることにより上方室と下方室とに仕切られ、前記下方室には、圧縮機、空冷式の凝縮器を含み前記冷却器と循環接続されて冷凍回路を構成する冷凍装置が、前記上方室には電装箱がそれぞれ収納されており、
前記電装箱は、前記上方室を当該冷却庫の正面から見た場合に、前記上方室のうちの左側若しくは右側の領域に配され、
前記仕切板には、前記上方室を当該冷却庫の正面から見た場合に、前記電装箱の設置位置とは左右異なる側に貫通孔が開口されて、前記冷却ファンの回転数制御用のインバータ等が内蔵されたインバータボックスであって、前記電装箱よりも高さ寸法の大きいインバータボックスが、前記貫通孔を貫通しつつ前記上方室から前記下方室にわたって配設されていることを特徴とする冷却庫。
【請求項２】
前記機械室が、複数本のフレームを組み付けてなるシャーシにパネルを張ることにより上面開口の箱形に形成され、この機械室の上面に前記冷却庫本体が載置されているものであって、前記インバータボックスを固定するための固定板が、前記冷却庫本体の外底面と前記仕切板との間にわたされて設けられていることを特徴とする請求項１記載の冷却庫。
【請求項３】
前記固定板が、前記貫通孔における奥側の孔縁に沿うようにして正面を向いて設けられている一方、前記インバータボックスの背面における左右の側縁から、前記固定板に対してねじ止めされる取付板が張り出し形成されていることを特徴とする請求項２記載の冷却庫。
【請求項４】
前記取付板が、前記インバータボックスを構成する背面板と一体的に形成されていることを特徴とする請求項３記載の冷却庫。
【請求項５】
前記上方室の前方には、当該上方室に対して取り外し可能な操作パネルが配されていることを特徴とする請求項１ないし請求項４のいずれか一項に記載の冷却庫。
【請求項６】
前記貫通孔は、前記インバータボックスの横幅にほぼ等しい横幅と、前記インバータボックスの奥行寸法よりも大きい奥行をもった角孔状に形成され、前記電装箱の奥端側と対応する位置に開口されていることを特徴とする請求項１ないし請求項５のいずれか一項に記載の冷却庫。
【発明の詳細な説明】
【技術分野】
【０００１】
本発明は、急速冷却庫等の冷却庫に関する。
【背景技術】
【０００２】
急速冷却庫の一例として、断熱箱体製の冷却庫本体内における間口方向の一側に、加熱調理済みの食品を収納する収納室が設けられ、他側に冷却器と冷却ファンとが設置されるとともに、この冷却庫本体の下面側に、圧縮機、空冷式の凝縮器等を含む冷凍装置や、電装箱等を装備した機械室が配設された構造になり、冷凍装置と冷却ファンを駆動することに伴い、冷却器で熱交換されて生成された冷気を収納室に循環供給することにより、食品を急速冷却するようにしたものが知られている。なお、この種の急速冷却庫は、例えば特許文献１に記載されている。
【０００３】
一方、この種の急速冷却庫では、高い冷凍能力を必要とする等の事情があることに鑑み、機械室の構造にも工夫が凝らされている。例えば、機械室内が仕切板によって上下に仕切られ、下方室内に冷凍装置が設置される一方、上方室に電装箱が収納されている。これにより、冷凍装置を構成する凝縮器に対して効率良く冷却空気（外気）を当てることが可能となり、また電装箱については、冷凍装置側からの熱的影響が極力回避されつつ、正面側からの整備等の作業がしやすくなっている。
【特許文献１】特開平１１−６３７８６号公報
【発明の開示】
【発明が解決しようとする課題】
【０００４】
ところで機械室内には、冷却ファンの回転数を制御するためのインバータを内蔵したインバータボックスも併せて収納する場合がある。このインバータボックスは、電装箱と同様に正面側から整備等の作業ができることが望ましく、上方室内で電装箱の側方等に設置するのが好適ではあるが、冷却ファンには容量の大きいものが必要とされる関係上、インバータボックスが電装箱よりも大きく、特に背が高いものにならざるを得ず、したがってインバータボックスを電装箱ともども上方室内に収納しようとすると、上方室すなわち機械室が大型化し、ひいては急速冷凍庫が背の高いものになる不具合がある。そうかといって、インバータボックスを、スペースに比較的余裕のある下方室内の奥側に収納すると、正面側からの整備作業等ができないことになり、さらなる改良が切望されていた。  
本発明は上記のような事情に基づいて完成されたものであって、その目的は、インバータボックスを機械室内に配設するに当たり、正面側から作業できる利便性を確保した上で省スペース化を図るところにある。
【課題を解決するための手段】
【０００５】
本発明は、被冷却物を収納する収納室と、この収納室に冷気を循環供給するべく冷却器と冷却ファンとを内部に設けた断熱箱体製の冷却庫本体に隣接して機械室が設けられた冷却庫において、前記機械室は内部に水平な仕切板が張られることにより上方室と下方室とに仕切られ、前記下方室には、圧縮機、空冷式の凝縮器を含み前記冷却器と循環接続されて冷凍回路を構成する冷凍装置が、前記上方室には電装箱がそれぞれ収納されているとともに、前記仕切板には貫通孔が開口されて、前記冷却ファンの回転数制御用のインバータ等が内蔵されたインバータボックスが、前記貫通孔を貫通しつつ前記上方室から前記下方室にわたって配設されているところに特徴を有する。  
この構成によれば、インバータボックスは、仕切板を貫通して下部側を下方室に臨ませた状態において、上方室内に収納される。これにより、インバータボックスの整備等の作業を正面側から行うことが可能となり、しかも上方室すなわち機械室のスペース増を招くことも回避される。
【０００６】
また、以下のような構成としてもよい。  
（１）前記機械室が、複数本のフレームを組み付けてなるシャーシにパネルを張ることにより上面開口の箱形に形成され、この機械室の上面に前記冷却庫本体が載置されているものであって、前記インバータボックスを固定するための固定板が、前記冷却庫本体の外底面と前記仕切板との間にわたされて設けられている。固定板が、冷却庫本体の外底面と、シャーシと一体の仕切板との間にわたされているから、シャーシひいては機械室の構造的な補強に有効となる。
【０００７】
（２）前記固定板が、前記貫通孔における奥側の孔縁に沿うようにして正面を向いて設けられている一方、前記インバータボックスの背面における左右の側縁から、前記固定板に対してねじ止めされる取付板が張り出し形成されている。インバータボックスは、機械室の正面側から固定板に対して着脱できる。両取付板の張り出し端の間の幅寸法が、貫通孔の幅寸法よりも大きければ、インバータボックスが下方室に落下することがないから、ねじ止めの作業もしやすい。  
（３）前記固定板が、前記貫通孔における奥側の孔縁に沿うようにして正面を向いて設けられている一方、前記インバータボックスの背面における左右の側縁から、前記固定板に対してねじ止めされる取付板が張り出し形成されている。部品点数の削減が図られる。
【０００８】
（４）前記取付板が、前記インバータボックスを構成する背面板と一体的に形成されている。  
インバータボックスを固定板から外す場合は、ねじを緩めたのち、取付板の挿通孔における大径部がねじの位置に来るまでインバータボックスを持ち上げ、次にインバータボックスを手前に引いて大径部をねじの頭部に通して取付板をねじの手前に抜き、この状態からインバータボックスの上部側を手前に傾けて下部側を貫通孔を通して上方室内に持ち上げれば、引き続いて上方室の手前側に取り出すことができる。  
インバータボックスを固定する場合は、上記とは逆に、インバータボックスの下部側を貫通孔に入れつつ起立姿勢として、挿通孔の大径部をねじの頭部に通し、そののちインバータボックスを降ろすと軸部が小径部に嵌るから、続いてねじを締め込むことで、インバータボックスが固定される。インバータボックスを固定板に対して正面から脱着する作業を簡単に行うことができる。
【０００９】
（５）前記インバータボックスの周面には、多数の通孔が開口されている。内蔵されたインバータを熱的に保護する場合に有効となる。
【発明の効果】
【００１０】
本発明によれば、インバータボックスを機械室内に配設するに当たり、正面側から作業できる利便性を確保した上で省スペース化を図ることができる。
【発明を実施するための最良の形態】
【００１１】
＜実施形態＞
以下、本発明の一実施形態を図１ないし図１２に基づいて説明する。この実施形態では、急速冷却庫に適用した場合を例示している。  
本実施形態の急速冷却庫は、図１に示すように、機械室１１の上面に冷却庫本体１０（以下、単に本体１０という）が載置され、機械室１１の底面に配された脚１２によって支持されている。  
本体１０は前面が開口された縦長の断熱箱体からなり、同本体１０の前面開口部１３には、断熱扉１４（図２）が、正面から見た左側縁を中心として揺動開閉可能に装着されている。本体１０の内部すなわち庫内では、図２及び図３に示すように、正面から見た右側の６割程度の領域が、食品の収納室１５とされ、残りの左側の領域が、冷却ユニット２０の設置室１６となっている。
【００１２】
冷却ユニット２０は、冷却器２１と２個の冷却ファン２２とを組み付けてユニット化したものである。冷却器２１は、庫内の高さよりも若干低い高さ寸法と、同庫内の奥行きの半分強の幅とを持った縦長のブロック状に形成され、収納室１５側の面と、反対側の面の両面に開口部を設けた冷却器カバー２３に収められている。一方、冷却ファン２２は、ファンケース２４内に縦方向に２個並んで装置されており、同ファンケース２４が、冷却器カバー２３の正面側に揺動開閉可能に取り付けられることで、冷却ユニット２０が形成されている。冷却ユニット２０では、冷却器２１の直前において２個の冷却ファン２２が上下に並んで配された状態となる。  
このような冷却ユニット２０が庫内の左側の設置室１６に設置され、より詳細には、庫内の高さ方向並びに奥行方向のほぼ中央部において、冷却器カバー２３の背面（収納室１５とは反対側の面）と庫内の左側壁１０Ｌとの間に所定の間隔を開けた形態で設置されている。
【００１３】
庫内右側の収納室１５には、ホテルパン等のトレイＴが複数段にわたり、前方から出し入れされて収納可能となっている。そのため、収納室１５の左右の側面となる冷却ユニット２０におけるファンケース２４の正面板２４Ａと、庫内の右側壁１０Ｒとには、一対のトレイ受け２５が対向して取り付けられるようになっている。  
トレイ受け２５はステンレス鋼線等の線材を素材として形成され、大まかには、縦長の長方形をなす枠体２６を有し、両縦枠の間に載置棒２７が一定のピッチで複数段（図示１２段）にわたって差し渡されているとともに、枠体２６の四隅の位置に、縦長の環形をなす取付部２８が形成されている。
【００１４】
一方、ファンケース２４の正面板２４Ａと、庫内の右側壁１０Ｒとには、それぞれ対応する４箇所に取付具２９が取り付けられていて、各トレイ受け２５は、四隅の取付部２８を対応する取付具２９に掛止することにより、収納室１５の左右の側面に対向した形態で着脱可能に取り付けられるようになっている。そしてトレイＴは、図２に示すように、左右のフランジを同じ段で対向した載置棒２７に載せつつ、前方から出し入れされて収納されるようになっている。
【００１５】
続いて、機械室１１の構造について説明する。機械室１１は、本体１０の半分強の高さを持って形成されており、図４に示すように、底板３１の四隅からアングル材やチャンネル材からなる柱３２が立てられることでシャーシ３０が形成され、各柱３２の上端が、本体１０の外底面の四隅に結合されている。なお、底板３１の下面の四隅に、上記した脚１２が取り付けられている。このシャーシ３０の背面並びに左右の側面にパネル４６，４８が張られることで、機械室１１が形成されている。
【００１６】
機械室１１内には、全高の約３／４の高さ位置において、仕切板３５が水平姿勢で張られており、上方室３８Ｕと下方室３８Ｄとに分けられている。なお、仕切板３５における背面側の端部の幅方向の中央位置には、方形の切欠部３６が形成されている。  
図５に示すように、下方室３８Ｄ内には主に冷凍装置４０が設置されており、前面開口に臨んで空冷式の凝縮器４１が、その直後に凝縮器ファン４１Ａが設置され、さらにその後方に圧縮機４２が設置されている。
【００１７】
下方室３８Ｄの前面開口には、図１に示すように、図示３個の吸気口４５を横方向に並べて設けた前面パネル４４が着脱可能に装備されている。また、機械室１１の背面パネル４６には、図６に示すように、下方室３８Ｄの底面から所定寸法上がった位置から上方室３８Ｕの天井面に亘って、ほぼ全幅に開口してなる排気口４７が形成されているとともに、下方室３８Ｄの左右の側面を構成する側面パネル４８における背面側に寄った位置には、複数の縦向きのスリットを並べてなる補助排気口４７Ａが形成されている。
【００１８】
この下方室３８Ｄ内に設置された冷凍装置４０と、上記した冷却ユニット２０に装備された冷却器２１とが、冷媒管５０で循環接続されて冷凍回路が構成されている。より具体的には、冷却器２１に対して出し入れされる冷媒管５０Ａが、設置室１６の背面壁に開口された貫通孔５２を通して並んで背面側に突出されたのち下方に曲げられ、その下端がさらに手前側に屈曲されて、上方室３８Ｕ内から仕切板３５の切欠部３６を通して下方室３８Ｄに導入され、冷凍装置４０に対して出し入れされる冷媒管５０と接続されている。
【００１９】
冷却運転は、冷凍装置４０（圧縮機４２）と冷却ファン２２とが駆動されることで行われ、図３の矢線に示すように、収納室１５の空気がファンケース２４を通って冷却ユニット２０内に吸引されて冷却器２１を通過する間に冷気が生成され、冷却ユニット２０の背面側に吹き出された冷気が、庫内の左側壁１０Ｌに当たって手前と奥に分かれて同冷却ユニット２０の手前側と奥側の側面に回り込んだのち、一部が右側壁１０Ｒ側まで流通しつつ収納室１５に送り込まれるといった循環流を生じ、これによりトレイＴに入れられた食品が急速冷却されるようになっている。
【００２０】
この間、冷却ユニット２０の奥側の側面に設けられた庫内温度センサ５４（図３参照）により庫内温度が検出され、その検出温度と、予め定められた庫内設定温度との比較に基づいて冷凍装置４０がオンオフされ、庫内がほぼ設定温度に維持される。  
一方、収納された食品には、芯温センサ５５が差し込まれて同食品の芯温（内部温度）が検出され、その検出温度が、予め定められた芯温の設定温度まで低下したら、所定の急速冷却が完了したと見なされて、冷却運転が停止されるようになっている。なお、運転モードの選択によっては、急速冷却された食品を冷蔵または冷凍状態に保存する保冷運転に切り替わる。
【００２１】
そのため、機械室１１のうちの上方室３８Ｕ内には、各種制御運転を実行するべく制御装置や各種電装品を格納した電装箱５７が収納されている。電装箱５７は、横長で背の低い方形箱状に形成されており、正面から見た左側の半分強の領域で、かつ前面開口に寄った位置に、ほぼすっぽりと嵌った形態で収納されている。  
この上方室３８Ｕの前面開口には、操作パネル５８が着脱可能に装着されている。操作パネル５８の表面には、詳しくは図示しないが、各種操作ボタン等が配備された操作部と、表示部とが設けられており、操作ボタンの操作により、運転モードの設定や、庫内温度の設定等が行われ、それらが表示部で表示されるようになっている。  
また、上記した電装箱５７の正面側には、各種接続口や調整部等が配されており、したがって操作パネル５８を外せば、電装箱５７を上方室３８Ｕ内に残したままメンテナンスを行うことが可能である。
【００２２】
さて本実施形態の急速冷却庫では、冷気を循環させるべく冷却ファン２２の回転数を制御するためにインバータを使用しており、これを格納したインバータボックス６０を機械室１１内に装備する必要がある。ここで、急速冷却に対応するべく容量の大きい冷却ファン２２を使用する必要があり、また保冷運転も実行可能で回転数の制御範囲も広くなるために、インバータひいてはインバータボックス６０も大型化せざるを得ない。この実施形態では、電装箱５７の２倍弱の高さを持った縦長の形状とされている（図５参照）。
【００２３】
一方このインバータボックス６０は、電装箱５７と同様に正面側から整備等の作業ができることが望ましく、上方室３８Ｕ内で電装箱５７の側方に設置するのが好適ではあるが、上記のようにインバータボックス６０が背の高いものである以上、電装箱５７ともども上方室３８Ｕ内に収納しようとすると、上方室３８Ｕを大型化しなければならず、そうかといって、スペースに比較的余裕のある下方室３８Ｄ内の奥側に収納すると、正面側からの整備作業等ができない。
【００２４】
そこで本実施形態では、インバータボックス６０の配設構造に工夫が凝らされている。
インバータボックス６０は、図７及び図８に示すように、背面と左側面とが開口された本体部６１と、背面板６２と、左側面板６３（図７では想像線で図示）とを組み付けて形成され、全体としては、平面形状がやや横長で、電装箱５７よりも背が高い角箱形に形成されている。背面板６２のほぼ上半分の領域における左右の側縁からは、縦長の取付板６５が張り出し形成されており、右側の取付板６５には、ねじ７０（図１０）の挿通孔６６が上下２位置に、左側の取付板６５では、そのほぼ中間の高さ位置に、１個の挿通孔６６が形成されている。各挿通孔６６は、いわゆるだるま孔と称されるものであって、上記したねじ７０における軸部７１Ａの挿通は許容するが頭部７１Ｂは挿通不可とした小径部６７Ａと、ねじ７０の頭部７１Ｂの挿通を許容する大径部６７Ｂとを、互いに連通させて上下に並べて配した形状に形成されている。  
また、インバータボックス６０の正面、背面、左右両側面及び底面には、多数のパンチ孔からなる通孔６８が開口されている。
【００２５】
機械室１１内に張られた仕切板３５には、電装箱５７の設置位置の右側方で、かつ電装箱５７の奥端側と対応する位置において、図４及び図１０に示すように、インバータボックス６０を上下に貫通可能な貫通孔７２が開口されている。この貫通孔７２は、インバータボックス６０の横幅にほぼ等しい横幅と、インバータボックス６０の奥行寸法よりも大きい（２倍弱）奥行を持った角孔状に形成されている。  
また、上方室３８Ｕ内における貫通孔７２の直ぐ後方位置には、インバータボックス６０を着脱可能に取り付けるための固定板７５が設けられている。
【００２６】
固定板７５は、図９にように、上方室３８Ｕの天井面すなわち本体１０の外底面と、上方室３８Ｕの内底面すなわち仕切板３５との間隔よりも所定寸法小さい高さ（図１０参照）と、インバータボックス６０における張り出した両取付板６５の張出端間の間隔に等しい横幅を持った横長の長方形に形成されている。この固定板７５の上縁には手前側に直角曲げされた取付板７６Ａが、下縁には奥側に直角曲げされた取付板７６Ｂがそれぞれ形成されており、上側の取付板７６Ａの左右両端部には、ねじ８３（図１０）の挿通孔７８が、下側の取付板７６Ｂの左右両端部には、ねじ孔７９が形成されている。
【００２７】
本体１０の外底面にはブラケット８０が設けられ、このブラケット８０には、上記した貫通孔７２の後端部の上方で、かつ天井面から所定寸法下がった高さ位置において、左右方向に水平姿勢で延出した支持板８１が設けられている。  
そして固定板７５は、下側の取付板７６Ｂが、仕切板３５の貫通孔７２における奥側の孔縁部に載せられ、仕切板３５の挿通孔８４に通されたねじ８３が左右両端のねじ孔７９にねじ込まれて固定され、一方上側の取付板７６Ａが、本体１０の外底面に設けられたブラケット８０の支持板８１に当てられて、左右両端部の挿通孔７８に通されたねじ８３が、支持板８１に形成されたねじ孔８５にねじ込まれて固定されている。
【００２８】
本実施形態は上記のような構造であって、インバータボックス６０は以下のようにして取り付けられる。  
まず、固定板７５の左右の計３個のねじ孔７７に、それぞれねじ７０が仮止めされる。続いてインバータボックス６０の下端側が仕切板３５の貫通孔７２に貫通され、図１０に示すように、固定板７５の少し手前の位置において高さ調節されて、左右の取付板６５の各挿通孔６６の大径部６７Ｂが、対応するねじ７０の位置に合わせられる。この状態から、同図の矢線ａに示すように、各挿通孔６６の大径部６７Ｂを対応するねじ７０の頭部７１Ｂに通しつつ、背面板６２を固定板７５の正面に当て、続いてインバータボックス６０を同図の矢線ｂに示すように下げて、各挿通孔６６の小径部６７Ａに対して対応するねじ７０の軸部７１Ａを下方から入れると、インバータボックス６０が３本のねじ７０で支持された状態となる。最後に各ねじ７０を本締めすることで、図１１に示すように、取付板６５が固定板７５に対して固定され、すなわちインバータボックス６０が固定板７５の正面に固定される。
【００２９】
このようにインバータボックス６０が取り付けられると、インバータボックス６０は、仕切板３５を貫通して下部側を下方室３８Ｄに臨ませた状態において、上方室３８Ｕ内に収納された状態となる。言い換えるとインバータボックス６０は、電装箱５７の右側において、少なくとも上部側の正面が、上方室３８Ｕの前面開口に対向した状態で配設され、そのため、操作パネル５８を外せば、インバータボックス６０の整備等の作業を正面側から行うことが可能となる。
【００３０】
さらに、インバータボックス６０は、以下のようにして比較的簡単に上方室３８Ｕの手前側に外すことができる。図１１に示す取付状態からねじ７０を緩め、続いて同図の矢線ｃに示すように、インバータボックス６０を固定板７５に沿って持ち上げて、挿通孔６６の大径部６７Ｂをねじ７０の頭部７１Ｂに合わせ、矢線ｄに示すように、手前に引くことでねじ７０の頭部７１Ｂを挿通孔６６から抜く。この状態から、図１２の矢線ｅに示すように、インバータボックス６０の上部側を手前に傾けつつ下部側を貫通孔７２から上方室３８Ｕに抜き出し、引き続きインバータボックス６０をほぼ寝かせた姿勢にして、前面開口から手前に抜き出すことが可能である。
【００３１】
すなわち本実施形態によれば、インバータボックス６０は、仕切板３５を貫通して下部側を下方室３８Ｄに臨ませた状態において、上方室３８Ｕ内に収納されるから、インバータボックス６０の整備等の作業を正面側から行うことが可能となり、しかも上方室３８Ｕすなわち機械室１１のスペース増を招くことも回避される。  
また、固定板７５が、本体１０の外底面（ブラケット８０）と、シャーシ３０と一体の仕切板３５との間にわたされて取り付けられているから、シャーシ３０ひいては機械室１１の構造的な補強に有効となる。
【００３２】
インバータボックス６０は、上記したように上方室３８Ｕの前面開口から固定板７５に対して着脱できるから、取付作業並びにメンテナンス時における取り外し作業を簡単に行うことができる。  
インバータボックス６０を固定板７５にねじ止めするための取付板６５が、インバータボックス６０の背面板６２と一体形成されているから、部品点数の削減が図られる。また、インバータボックス６０には周面に通孔６８が開口されて、内部に熱気が籠もらないようにしたから、格納されたインバータ等を熱的に保護する場合に有効となる。
【００３３】
＜他の実施形態＞
本発明は上記記述及び図面によって説明した実施形態に限定されるものではなく、例えば次のような実施形態も本発明の技術的範囲に含まれる。  
（１）インバータボックスに設けられる固定板にねじ止めされる取付板は、インバータボックスとは別体に形成されて後付けされるものであってもよい。  
（２）固定板は必ずしも本体の外底面と仕切板との間にわたって設けられる必要はなく、本体の外底面から垂設したり、逆に仕切板に立設するようにしてもよい。  
（３）インバータボックスを機械室内の定位置に固定するに当たり、上記実施形態に例示したように、固定板の正面に当ててねじ止めすることに限らず、他の固定手段を採用してもよい。  
（４）インバータボックスは、その周面に通孔が開口されていない構造であってもよい。
【００３４】
（５）冷却器と冷却ファンとはユニット化されておらず、収納室の側方に冷却器室を設けてその中に個別に組み付けられるようになっていてもよい。  
（６）本発明は、機械室が冷却庫本体の下方に配されたものに限らず、側方等の他の方向に隣接して設けられたものにも適用可能である。  
（７）本発明は上記実施形態に例示した急速冷却庫に限らず、被冷却物の収納室と、この収納室に冷気を循環供給するべく冷却器と冷却ファンとを内部に設けた断熱箱体製の冷却庫本体に隣接して機械室が設けられた冷却庫全般に広く適用することができる。
【図面の簡単な説明】
【００３５】
【図１】本発明の一実施形態に係る急速冷却庫の断熱扉を外した状態の斜視図
【図２】庫内構造を示す正面図
【図３】同平断面図
【図４】機械室のシャーシの構造を示す斜視図
【図５】機械室の構造を示す側面図
【図６】機械室の背面図
【図７】インバータボックスの一部省略した斜視図
【図８】インバータボックスの正面図
【図９】固定板の斜視図
【図１０】インバータボックスの取付前の状態の側断面図
【図１１】その取付状態を示す側断面図
【図１２】その取り外し動作を説明する側断面図
【符号の説明】
【００３６】
１０…冷却庫本体  １１…機械室  １５…収納室  １６…設置室  ２０…冷却ユニット  ２１…冷却器  ２２…冷却ファン  ３０…シャーシ  ３１…底板  ３２…柱（フレーム）  ３５…仕切板  ３８Ｕ…上方室  ３８Ｄ…下方室  ４０…冷凍装置  ４１…凝縮器  ４２…圧縮機  ４４…前面パネル  ４６…背面パネル  ４８…側面パネル  ５７…電装箱  ６０…インバータボックス  ６２…背面板  ６５…取付板  ６６…挿通孔  ６７Ａ…小径部  ６７Ｂ…大径部  ６８…通孔  ７０…ねじ  ７１Ａ…軸部  ７１Ｂ…頭部  ７２…貫通孔  ７５…固定板  ７７…ねじ孔  ８０…ブラケット  ８３…ねじ
【図１】
0005139109.tif 000002
【図２】
0005139109.tif 000003
【図３】
0005139109.tif 000004
【図４】
0005139109.tif 000005
【図５】
0005139109.tif 000006
【図６】
0005139109.tif 000007
【図７】
0005139109.tif 000008
【図８】
0005139109.tif 000009
【図９】
0005139109.tif 000010
【図１０】
0005139109.tif 000011
【図１１】
0005139109.tif 000012
【図１２】
0005139109.tif 000013